(57)【要約】【課題】無線通信装置の使用条件に合わせて使用者を煩わせずにセキュリティレベルを設定し、かつ、必要なセキュリティレベルを確保する。【解決手段】携帯通信端末１の制御部２２は、ＢＴの接続要求を受けて（ステップＳ１０１の“ＹＥＳ”）予め使用の条件に合わせて設定、記憶したセキュリティレベルをストレージ部２５から読み出し、低レベルなら（ステップＳ１０３の“ＬＯ”）ＢＴの接続を許可する（ステップＳ１０５）が、高レベルなら接続の確認を求める画面を表示部１４に表示する（ステップＳ１０７）。接続を許可する操作がされれば（ステップＳ１０９の“ＹＥＳ”）、ＢＴの接続を許可する（ステップＳ１０５）。接続を許可しない操作がされれば（ステップＳ１０９の“ＮＯ”）、接続しないで処理を終了する。【選択図】図４
2011077949.tif 000002
【特許請求の範囲】
【請求項１】
相手方装置との間で無線通信サービスの種類及びセキュリティレベルを設定して通信を
行うことができる無線通信装置において、
前記セキュリティレベルを使用の条件に合わせて設定し記憶することができる設定記憶
手段と、
前記相手方装置との間の通信の可否を選択する場合における複数通りの操作手順に従っ
て画面を表示することができる表示手段と、
前記相手方装置との間の通信を行うことができる通信手段と、
前記設定記憶手段に記憶されたセキュリティレベルに合わせて前記複数通りの中から操
作手順を選択すると共に、前記表示手段が表示した画面において通信を可とする選択がさ
れた場合に接続要求に対応して前記相手方装置と接続するように前記通信手段を制御する
ことができる制御手段と、
前記通信手段、前記設定記憶手段、前記表示手段及び前記制御手段が設けられた筐体と
を備えたことを特徴とする無線通信装置。
【請求項２】
前記筐体は相互に可動である状態で接続された複数の部分からなり、
前記筐体の複数の部分のうち少なくとも１つの部分に設けられた操作手段と、前記筐体
の複数の部分が前記操作手段を操作することのできない第１の位置関係又は前記操作手段
を操作することのできる第２の位置関係のいずれにあるかを検出することができる検出手
段をさらに備え、
前記設定記憶手段は、前記筐体の複数の部分が前記第１の位置関係にあることを前記検
出手段が検出したとき前記セキュリティレベルを相対的高レベルに設定し、前記筐体の複
数の部分が前記第２の位置関係にあることを前記検出手段が検出したとき前記セキュリテ
ィレベルを相対的低レベルに設定することができる
ことを特徴とする請求項１に記載の無線通信装置。
【請求項３】
前記筐体に設けられた操作手段をさらに備え、
前記設定記憶手段は、前記操作手段を介して所定の操作が行われたとき前記セキュリテ
ィレベルを相対的高レベルに設定することができる
ことを特徴とする請求項１に記載の無線通信装置。
【請求項４】
前記無線通信サービスの種類が設定されたとき、前記相手方装置と相互に非対称である
役割をそれぞれ割り当てられる場合において、
前記設定記憶手段は、前記相互に非対称である役割のうち第１の役割を割り当てられた
場合に前記セキュリティレベルを相対的高レベルに設定し、前記相互に非対称である役割
のうち第２の役割を割り当てられた場合に前記セキュリティレベルを相対的低レベルに設
定することができる
ことを特徴とする請求項１に記載の無線通信装置。
【請求項５】
前記制御手段は、
接続要求に対応して前記表示手段に前記相手方装置との通信開始の確認を求める画面を
表示する第１の操作手順と、
接続要求に対応して前記表示手段に前記相手方装置との相互認証を求める画面を表示す
る第２の操作手順のうち少なくとも１つを含む複数通りの操作手順を選択することができ
る
ことを特徴とする請求項１に記載の無線通信装置。
【請求項６】
前記制御手段は、
前記設定記憶手段に記憶された前記セキュリティレベルが相対的低レベルの場合に接続
要求に対応して前記相手方装置と接続するように前記通信手段を制御し、かつ、
前記設定記憶手段に記憶された前記セキュリティレベルが相対的高レベルの場合に接続
要求に対応して前記通信の可否を選択するための画面を前記表示手段に表示させると共に
、通信を可とする選択がされた場合に前記相手方装置と接続するように前記通信手段を制
御することができる
ことを特徴とする請求項１に記載の無線通信装置。
【請求項７】
第１の無線通信装置及び第２の無線通信装置が無線通信サービスの種類及びセキュリテ
ィレベルを設定して相互に通信を行う無線通信方法において、
前記セキュリティレベルを使用の条件に合わせて設定及び記憶し、
接続要求に対応して前記相互の通信の可否を選択する場合における複数通りの操作手順
に従って画面を表示し、
前記記憶したセキュリティレベルに合わせて前記複数通りの中から操作手順を選択し、
前記表示した画面において通信を可とする選択がされた場合に前記第１の無線通信装置
及び前記第２の無線通信装置を相互に接続する
ことを特徴とする無線通信方法。
【発明の詳細な説明】
【技術分野】
【０００１】
本発明は無線通信装置及び無線通信方法に係り、特にセキュリティレベルの設定を含む
無線通信方法及び該無線通信方法を実施する無線通信装置に関する。
【背景技術】
【０００２】
通信技術の分野では、セキュリティの確保が重要な課題に数えられている。とりわけ、
開放された空間を情報が伝搬する無線通信システムにおいてその重要性が高く、相手方装
置が例えば同一室内などごく近距離に存在することを前提とする例えばブルートゥース（
Ｂｌｕｅｔｏｏｔｈ（登録商標）、以下ＢＴと略す。）のようなシステムにも各種のセキ
ュリティ対策が用意されている。
【０００３】
一般にセキュリティには複数のレベルが設けられ、例えば無線通信システムのおかれた
環境や装置の使用条件等によって、複数のうちからいずれかのセキュリティレベルを選ん
で設定することがある。しかし、そのようなセキュリティ設定の判断を使用者に行わせる
ことは、使用者の作業負荷を軽減し利便性を高める観点からは望ましくない。そこで、セ
キュリティ確保と利便性の両立を目的とする技術が開示されている（例えば、特許文献１
又は特許文献２参照。）。
【０００４】
上記の特許文献１によれば、ＢＴによって相互に接続可能なサーバ側装置とクライアン
ト側装置の間で実行されるファイル転送、オブジェクト交換、イメージ転送その他機能ご
とに、接続認証の設定を行うことができる。また、サーバ及びクライアントに分けて個別
に設定を行うことができる。
【０００５】
上記の特許文献２によれば、携帯電話機が自身の使用状態を判定する手段を備え、異常
な状態でも放置された状態でもないと判定したときに各種の機能を動作可能とする状態に
維持することができる。
【先行技術文献】
【特許文献】
【０００６】
【特許文献１】特開２００７−６８０３５号公報（第５ページ、図８）
【特許文献２】特開２００８−３０６４１２号公報（第１３ページ、図１１）
【発明の概要】
【発明が解決しようとする課題】
【０００７】
上記の特許文献１に開示された技術は、例えばパソコンを前提として、機能の種類ごと
にセキュリティレベルを使用者に選ばせる構成をとっている。パソコンよりは使用者の範
囲が広く、より簡便な操作が要求される携帯電話機のような無線通信装置には、使用者に
選ばせるような手順を必要としない方法がより好適である。
【０００８】
上記の特許文献２に開示された技術は、主に物理的な条件に依存する使用状態判定の結
果として各種機能の動作の可否を決定するものである。しかし無線通信装置の使用の条件
は装置の物理的な状態だけでは決まらず、無線通信システムにおける該装置の位置づけ、
役割等に関する条件を含む。特許文献２に開示された技術は、そのような無線通信装置の
使用条件の区別に対応し得るものではない。
【０００９】
本発明は上記問題を解決するためになされたもので、無線通信装置の使用条件に合わせ
て使用者を煩わせずにセキュリティレベルを設定し、かつ、必要なセキュリティレベルを
確保することを目的とする。
【課題を解決するための手段】
【００１０】
上記目的を達成するために、本発明の無線通信装置は、相手方装置との間で無線通信サ
ービスの種類及びセキュリティレベルを設定して通信を行うことができる無線通信装置に
おいて、前記セキュリティレベルを使用の条件に合わせて設定し記憶することができる設
定記憶手段と、前記相手方装置との間の通信の可否を選択する場合における複数通りの操
作手順に従って画面を表示することができる表示手段と、前記相手方装置との間の通信を
行うことができる通信手段と、前記設定記憶手段に記憶されたセキュリティレベルに合わ
せて前記複数通りの中から操作手順を選択すると共に、前記表示手段が表示した画面にお
いて通信を可とする選択がされた場合に接続要求に対応して前記相手方装置と接続するよ
うに前記通信手段を制御することができる制御手段と、前記通信手段、前記設定記憶手段
、前記表示手段及び前記制御手段が設けられた筐体とを備えたことを特徴とする。
【００１１】
また、本発明の無線通信方法は、第１の無線通信装置及び第２の無線通信装置が無線通
信サービスの種類及びセキュリティレベルを設定して相互に通信を行う無線通信方法にお
いて、前記セキュリティレベルを使用の条件に合わせて設定及び記憶し、接続要求に対応
して前記相互の通信の可否を選択する場合における複数通りの操作手順に従って画面を表
示し、前記記憶したセキュリティレベルに合わせて前記複数通りの中から操作手順を選択
し、前記表示した画面において通信を可とする選択がされた場合に前記第１の無線通信装
置及び前記第２の無線通信装置を相互に接続することを特徴とする。
【発明の効果】
【００１２】
本発明によれば、無線通信装置の使用条件に合わせて設定し記憶したセキュリティレベ
ルに合わせて複数通りの操作手順のうちいずれかを無線通信装置が選択するように構成す
ることにより、無線通信装置の使用条件に合わせて使用者を煩わせずにセキュリティレベ
ルを設定し、かつ、必要なセキュリティレベルを確保することができる。
【図面の簡単な説明】
【００１３】
【図１】本発明の実施例に係る無線通信装置である携帯通信端末の外観図。
【図２】本発明の実施例に係る携帯通信端末のブロック図。
【図３】（ａ）、（ｂ）及び（ｃ）は、それぞれ、本発明の実施例に係る携帯通信端末の第１筐体と第２筐体の位置関係、所定の操作の有無、相手方装置と非対称の役割の割当てを使用の条件として、該条件に合わせたＢＴ通信のセキュリティレベルの設定を例示する図。
【図４】本発明の実施例に係る携帯通信端末にセキュリティレベルを設定したときの接続要求処理の第１の動作例を説明するフローチャート。
【図５】本発明の実施例に係る携帯通信端末が接続処理中に表示する画面を例示する図。
【図６】本発明の実施例に係る携帯通信端末が接続確認を求める画面を例示する図。
【図７】本発明の実施例に係る携帯通信端末にセキュリティレベルを設定したときの接続要求処理の第２の動作例を説明するフローチャート。
【図８】本発明の実施例に係る携帯通信端末が相手方装置との認証を求める画面を例示する図。
【図９】本発明の実施例に係る携帯通信端末にセキュリティレベルを設定したときの接続要求処理の第３の動作例を説明するフローチャート。
【発明を実施するための形態】
【００１４】
以下、図１ないし図９を参照して、本発明の実施例を説明する。図１は、本発明の実施
例１に係る無線通信装置である携帯通信端末１の外観図である。携帯通信端末１は、第１
筐体１１と第２筐体１２が相互に開閉可能に接続されて構成される。図１は、第１筐体１
１と第２筐体１２が互いに開いた状態を使用者側（正面側）から見て表したものである。
ただし、携帯通信端末１の筐体構成は、図１に表したようないわゆる折りたたみ型に限る
ものではない。
【００１５】
第１筐体１１には、例えば液晶デバイスからなる表示部１４が取り付けられている。表
示部１４はテキスト又は画像を表示することができ、携帯通信端末１は表示部１４を用い
て画面表示を伴うアプリケーション（例えば電子メール送受信、ウェブページ閲覧、電話
帳の作成と閲覧、その他）を実行することができる。第１筐体１１には、受話部１５が取
り付けられている。第２筐体１２には、送話部１６が取り付けられている。携帯通信端末
１は、受話部１５と送話部１６を備えたことにより、音声通話に用いることができる。
【００１６】
第２筐体１２には、複数の操作キーからなる操作部１７（破線の枠で囲んで表す。）が
取り付けられている。操作部１７に属する操作キーが操作されることにより、携帯通信端
末１の起動、停止操作又はテキストや操作コマンドの入力が可能になる。上述した表示部
１４、受話部１５、送話部１６及び操作部１７は、いずれも携帯通信端末１のヒューマン
インターフェース手段として機能する。
【００１７】
図２は、携帯通信端末１のブロック図である。携帯通信端末１は、開閉検出部１８を備
えている。開閉検出部１８は、例えば第１筐体１１の正面側のいずれかの位置に設けられ
たマグネットと、第２筐体１２の正面側であって第１筐体１１及び第２筐体１２が互いに
閉じた状態のとき当該マグネットに正対する位置に設けられた磁気感応素子からなる。
【００１８】
携帯通信端末１は、アンテナ１９と送受信部２０を備え、図示しない移動通信基地局と
の間で電波の送受信をすることができる。携帯通信端末１は、音声インターフェース部２
１、制御部２２、ランダムアクセスメモリ（ＲＡＭ）２３、読み出し専用メモリ（ＲＯＭ
）２４及びストレージ部２５を備えている。
【００１９】
開閉検出部１８、送受信部２０、音声インターフェース部２１、ＲＡＭ２３、ＲＯＭ２
４及びストレージ部２５並びに図１を参照して説明した表示部１４及び操作部１７は、例
えば共通バスを通してそれぞれ制御部２２に接続され、制御部２２によって監視及び制御
される。制御部２２は、例えばマイクロプロセッサのような処理デバイスが単一で、又は
複数のチップが組み合わされて構成される。なお、携帯通信端末１の主要な構成（上述し
たもの、及び後述するもの）は、それぞれ図２に示すように例えば共通バスを介して制御
部２２と接続され、又は互いに接続されている。
【００２０】
ＲＡＭ２３は、携帯通信端末１の機能を実現するために制御部２２が所要のプログラム
又はデータを随時読み書きして使用するメモリである。ＲＯＭ２４は、プログラム又はデ
ータが予め書き込まれたメモリである。ストレージ部２５は、制御部２２によって書き込
まれたデータが電源を切っても保持される不揮発性メモリで、例えばハードディスク、不
揮発性半導体メモリ等によって構成される。
【００２１】
音声通話の場合、相手方から上記の基地局を通して送られてくる符号化された音声信号
は、アンテナ１９を経て送受信部２０において受信されると共に復調及び誤り訂正復号等
の処理がされ、さらに音声インターフェース部２１においてアナログ音声信号に変換され
ると共に受話部１５から再生される。また、送話部１６が集音した音声は音声インターフ
ェース部２１においてディジタル音声信号に変換され、送受信部２０において誤り訂正符
号化、変調及び増幅された後アンテナ１９から基地局へ向けて送信される。
【００２２】
データ通信の場合、相手方から上記の基地局を通して送られてくるデータ信号は、アン
テナ１９を経て送受信部２０において受信されると共に復調、誤り訂正等の処理がされ、
制御部２２に送られてＲＡＭ２３に書き込まれたり表示部１４に表示されたりする。また
、操作部１７から入力されたりＲＡＭ２３から読み出されたりしたデータは、送受信部２
０において誤り訂正符号化、変調及び増幅された後アンテナ１９から基地局へ向けて送信
される。
【００２３】
携帯通信端末１は、ＢＴ送受信部２７、ＢＴアンテナ２８及びＢＴ設定部２９を備えて
いる。ＢＴ送受信部２７は、携帯通信端末１がＢＴ送受信機能を備えた相手方装置と対向
したとき、ＢＴの規格にしたがって当該相手方装置との間でＢＴアンテナ２８を介して無
線通信を行うことができる。
【００２４】
ＢＴ設定部２９は、後述するように携帯通信端末１の使用の条件に合わせてＢＴ通信の
セキュリティレベルを設定し、設定結果のデータを例えばストレージ部２５に記憶する。
ＢＴ設定部２９は、制御部２２に含まれる形で構成されてもよい。ＢＴ設定部２９は、Ｂ
Ｔ送受信部２７に含まれる形で構成されてもよい。
【００２５】
図３は、携帯通信端末１の使用の条件に合わせたＢＴ通信のセキュリティレベルの設定
を例示する図である。図３（ａ）は、第１筐体１１と第２筐体１２の互いの位置関係（閉
じた状態と開いた状態のいずれか）を使用の条件として選んだ場合のセキュリティレベル
の設定例を表す。
【００２６】
第１筐体１１と第２筐体１２が互いに開いた状態にあることを開閉検出部１８が検出す
ると、ＢＴ設定部２９は相対的に低いセキュリティレベルを設定する。第１筐体１１と第
２筐体１２が互いに閉じた状態にあることを開閉検出部１８が検出すると、ＢＴ設定部２
９は相対的に高いセキュリティレベルを設定する。後者の場合は、携帯通信端末１が積極
的に使用されていないことが推定されるため、セキュリティレベルを相対的に高く設定す
るものとする。
【００２７】
図３（ｂ）は、操作部１７を介して所定の操作が行われたか否かを使用の条件として選
んだ場合のセキュリティレベルの設定例を表す。所定の操作とは、例えばウェブサイトの
ブラウジングや電子メールの送受信等のアプリケーションを開始する操作である。制御部
２２がそのようなアプリケーションを実行しているときは、実行していないときよりも、
ＢＴ通信を実行中である可能性が低い。そこで、上記の所定の操作がないうちは、ＢＴ設
定部２９は相対的に低いセキュリティレベルを設定する。上記の所定の操作があったとき
は、ＢＴ設定部２９は相対的に高いセキュリティレベルを設定する。
【００２８】
図３（ｃ）は、ＢＴ通信のサービスにおいて、相手方装置との間で相互に非対称の役割
をそれぞれ割り当てられたときの役割を使用の条件として選んだ場合のセキュリティレベ
ルの設定例を表す。例えばＡＶＲＣＰ（Ａｕｄｉｏ  Ｖｉｄｅｏ  Ｒｅｍｏｔｅ  Ｃｏｎ
ｔｒｏｌ  Ｐｒｏｆｉｌｅ）というサービスプロファイルにおいて、主にデータを送信す
るＣＴ（Ｃｏｎｔｒｏｌｌｅｒ）の役割と、主にデータを受信するＴＧ（Ｔａｒｇｅｔ）
の役割が定義されている。
【００２９】
そこで、送信側のセキュリティを受信側より強化する必要がある場合には、ＢＴ設定部
２９は、携帯通信端末１にＡＶＲＣＰ−ＣＴを割り当てられたとき相対的に高いセキュリ
ティレベルを設定し、ＡＶＲＣＰ−ＴＧを割り当てられたとき相対的に低いセキュリティ
レベルを設定する。
【００３０】
上記のように、ＢＴ通信の各サービスについて、主にデータ送信側を受け持つ役割と主
にデータ受信側を受け持つ役割として定義されたものは、Ａ２ＤＰ−ＳＲＣとＡ２ＤＰ−
ＳＮＫ、ＯＰＰ−ＣｌｉｅｎｔとＯＰＰ−Ｓｅｒｖｅｒ、ＢＩＰ−ＣｌｉｅｎｔとＢＩＰ
−Ｓｅｒｖｅｒ、ＤＵＮ−ＧＷとＤＵＮ−ＧＴ、ＨＦＰ−ＡＧとＨＦＰ−ＨＦが挙げられ
る。
【００３１】
なお、送信側、受信側の役割とセキュリティレベルの相対的高低は常に一定の対応関係
にあるものではない。受信側のセキュリティを送信側より強化する必要がある場合、送信
側・受信側ともセキュリティを強化する必要がある場合、送信側・受信側ともその必要が
ない場合が考えられる。それぞれの場合に応じて、非対称関係にある役割に対して相対的
高低の関係にあるか又は同等のセキュリティレベルを設定することができる。
【００３２】
また、上述した複数の使用の条件の組み合わせに対して、それぞれセキュリティレベル
を設定することもできる。例えば、第１筐体１１と第２筐体１２を互いに開いた状態で電
子メールの送受信を始める操作を行ったときは、相対的に高いセキュリティレベルを設定
することが考えられる。
【００３３】
図４は、上述したようにＢＴ通信のセキュリティレベルを設定した携帯通信端末１にお
ける接続要求処理の第１の動作例を説明するフローチャートである。ＢＴ通信の相手方装
置との間の接続が行われていない状態で処理を開始した（ＳＴＡＲＴ）後、制御部２２は
、ＢＴアンテナ２８及びＢＴ送受信部２７を通して、又は操作部１７における操作を通し
て、相手方装置との間のＢＴ通信の接続要求がなされるのを待つ（ステップＳ１０１の“
ＮＯ”）。
【００３４】
接続要求があると（ステップＳ１０１の“ＹＥＳ”）、制御部２２はＢＴ設定部２９が
ストレージ部２５に記憶したＢＴ通信のセキュリティレベル設定データを参照し、相対的
に低いセキュリティレベルが設定されていれば（ステップＳ１０３の“ＬＯ”）、ＢＴ送
受信部に対してＢＴ通信の接続を許可する（ステップＳ１０５）。このとき制御部２２は
、例えば図５に示すような画面を表示部１４に表示する。図５の画面は、相手方装置の機
器名（Ｄｅｖｉｃｅ名）、接続するサービス名及び接続中であることを示している。接続
が完了すると接続要求処理及び図５の画面表示は終了する（ＥＮＤ）が、それ以前に画面
左下の「中止」キー（操作部１７の特定の操作キーに対応するいわゆるソフトキーである
。）が操作されると接続動作が中止される。
【００３５】
一方、制御部２２が参照したＢＴ通信のセキュリティレベル設定データが相対的に高い
方であったときは（ステップＳ１０３の“ＨＩ”）、制御部２２は接続の可否について使
用者の確認を求める画面を表示部１４に表示する（ステップＳ１０７）。確認画面の一例
を、図６に示す。ＢＴで定義された認証モデルのうち、ＪｕｓｔＷｏｒｋｓ及びＮｕｍｅ
ｒｉｃＣｏｍｐａｒｉｓｏｎの各モデルについて、このような確認画面の有無によるセキ
ュリティのレベル分けを行うことができる。
【００３６】
図６の画面は、相手方装置の機器名（Ｄｅｖｉｃｅ名）及びサービス名を示して、接続
の確認を求めるものである。画面左下のソフトキー「はい」が操作されると（ステップＳ
１０９の“ＹＥＳ”）、制御部２２はＢＴ送受信部に対してＢＴ通信の接続を許可し、図
５に示した画面を表示部１４に表示する（ステップＳ１０５）。一方、図６において画面
右下のソフトキー「いいえ」が操作されると（ステップＳ１０９の“ＮＯ”）、制御部２
２は相手方装置との接続を行わずに接続要求処理を終了する（ＥＮＤ）。
【００３７】
図７は、ＢＴ通信のセキュリティレベルを設定した携帯通信端末１における接続要求処
理の第２の動作例を説明するフローチャートである。処理の開始（ＳＴＡＲＴ）後、ステ
ップＳ２０１−Ｓ２０５の処理は、図４のステップＳ１０１−Ｓ１０５の処理とそれぞれ
同じであるから、説明を省略する。
【００３８】
ステップＳ２０３において制御部２２が参照したＢＴ通信のセキュリティレベル設定デ
ータが相対的に高い方であったときは（ステップＳ２０３の“ＨＩ”）、制御部２２は相
手方装置との相互の認証について使用者の確認を求める画面を表示部１４に表示する（ス
テップＳ２０７）。確認画面の一例を、図８に示す。
【００３９】
図８の画面は、相手方装置の機器名（Ｄｅｖｉｃｅ名）及び認証用の例えば６桁の数字
を表示して、認証を求めるものである（中間者攻撃に対する防御の意味がある。）。画面
左下のソフトキー「はい」が操作されると（ステップＳ２０９の“ＹＥＳ”）、制御部２
２はＢＴ送受信部に対してＢＴ通信の接続を許可し、図５に示した画面を表示部１４に表
示する（ステップＳ２０５）。一方、図８において画面右下のソフトキー「いいえ」が操
作されると（ステップＳ２０９の“ＮＯ”）、制御部２２は相手方装置との接続を行わず
に接続要求処理を終了する（ＥＮＤ）。
【００４０】
図９は、ＢＴ通信のセキュリティレベルを設定した携帯通信端末１における接続要求処
理の第３の動作例を説明するフローチャートである。処理の開始（ＳＴＡＲＴ）後、ステ
ップＳ３０１−Ｓ３０５の処理は、図４のステップＳ１０１−Ｓ１０５の処理とそれぞれ
同じであるから、説明を省略する。
【００４１】
ステップＳ３０３において制御部２２が参照したＢＴ通信のセキュリティレベル設定デ
ータが相対的に高い方であったときは（ステップＳ３０３の“ＨＩ”）、制御部２２は接
続の可否について図６に示した画面を表示部１４に表示する（ステップＳ３０７）。これ
は、図4のステップＳ１０７の処理と同じである。図６において画面右下のソフトキー「
いいえ」が操作されると（ステップＳ３０９の“ＮＯ”）、制御部２２は相手方装置との
接続を行わずに接続要求処理を終了する（ＥＮＤ）。
【００４２】
一方、図６において画面左下のソフトキー「はい」が操作されると（ステップＳ３０９
の“ＹＥＳ”）、制御部２２は相手方装置との相互の認証について図８に示した画面を表
示部１４に表示する（ステップＳ３１１）。これは、図７のステップＳ２０７の処理と同
じである。これに続くステップＳ３１３の処理は、図７のステップＳ２０９の処理と同じ
であるから、説明を省略する。
【００４３】
上記の第３の動作例は、接続と認証の２段階の確認を求めることによって、誤操作防止
の効果を高めることができる。なお、第１ないし第３の動作例においては、相対的に低い
セキュリティレベルが設定されているとき接続要求に対応して確認画面の表示を行わずに
接続を許可する操作手順を説明した。本発明はこれに限らず、例えば接続確認画面を表示
する手順及び認証確認画面を表示する手順を、それぞれ低セキュリティレベル及び高セキ
ュリティレベルの設定に対応させてもよい。又は、これらの手順のいずれかと接続及び認
証の両方の確認画面を表示する手順を、それぞれ低セキュリティレベル及び高セキュリテ
ィレベルの設定に対応させてもよい。
【００４４】
以上に説明した本発明の実施例によれば、携帯通信端末の使用条件に合わせて使用者の
操作を経ずにセキュリティレベルを設定し、かつ、必要なセキュリティレベルを確保する
ことができる。
【００４５】
以上の実施例において説明した携帯通信端末の形状、構成、接続、機能等の条件は例示
であり、本発明の要旨を逸脱しない範囲でさまざまな変形が可能である。例えば、携帯通
信端末の筐体を開閉する機構は折り畳み式でなくスライド式でもよい。無線通信の方式と
してＢＴを例に挙げたが、本発明はＢＴ以外の方式をとる無線通信装置にも適用すること
ができる。
【符号の説明】
【００４６】
１  携帯通信端末
１１  第１筐体
１２  第２筐体
１４  表示部
１５  受話部
１６  送話部
１７  操作部
１９  アンテナ
２０  送受信部
２１  音声インターフェース部
２２  制御部
２３  ＲＡＭ
２４  ＲＯＭ
２５  ストレージ部
２７  ＢＴ送受信部
２８  ＢＴアンテナ
２９  ＢＴ設定部
【図１】
2011077949.tif 000003
【図２】
2011077949.tif 000004
【図３】
2011077949.tif 000005
【図４】
2011077949.tif 000006
【図５】
2011077949.tif 000007
【図６】
2011077949.tif 000008
【図７】
2011077949.tif 000009
【図８】
2011077949.tif 000010
【図９】
2011077949.tif 000011